(57)【要約】【課題】本発明は、交換が簡便に行える平板のタッチ式ライト制御モジュールを提供する。【解決手段】  電灯を制御するライト制御モジュールであって、ライト制御モジュールの平板がライト制御装置上に取り外し可能で取り付けられている。ライト制御装置中で、マイクロプロセッサがタッチセンサモジュールにより検知したタッチ信号により、電源位相制御回路に前記電灯を制御するように指示し、また、電灯の光度により指示灯モジュールを制御する。【選択図】図４
2012174549.tif 000002
【特許請求の範囲】
【請求項１】
電灯を制御するライト制御モジュールであって、
前記ライト制御モジュールは、ライト制御装置と平板を含み、前記平板が取り外し可能に前記ライト制御装置に取り付けられ、
前記平板は、第一タッチエリアと第二タッチエリアと指示灯エリアを含み、
前記ライト制御装置は、
前記第一タッチエリアに対応する位置に位置する第一タッチセンサと前記第二タッチエリアに対応する位置に位置する第二タッチセンサを含み、且つ前記第一タッチセンサと前記第二タッチセンサがタッチ状態を検知してタッチ信号を生成するタッチセンサモジュールと
前記指示灯エリアに対応する位置に位置する複数の発光ダイオード素子を有する指示灯モジュールと、
前記電灯の光度を制御する電源位相制御回路と、及び
電灯光度値を記憶するレジスタを有し、前記タッチ信号に基づき前記電源位相制御回路を制御し、且つ前記電灯の光度に基づき関連発光ダイオード素子を決定するマイクロプロセッサと、を有し、
そのうち、
前記第一タッチセンサと前記第二タッチセンサがともに触れられたことを検知した場合、前記マイクロプロセッサは、前記レジスタに記憶した前記電灯光度値に基づき前記電灯を起動し、且つ前記電灯の光度を前記電灯光度値まで調整するように前記電源位相制御回路に指示し、前記指示灯モジュールは、前記電灯光度値に基づき関連の前記発光ダイオード素子を起動し、且つ関連の前記発光ダイオード素子の光度を調整し、
前記第一タッチセンサだけが触れられたことを検知し、且つタッチ時間が第一所定タッチ時間未満である場合、前記マイクロプロセッサは、第二所定時間内に前記電灯をつけるように前記電源位相制御回路を制御し、又、前記マイクロプロセッサは、前記電灯光度値に基づき関連の前記発光ダイオード素子を起動し且つ関連の前記発光ダイオード素子の光度を調整するように前記指示灯モジュールを制御し、及び
前記第二タッチセンサだけが触れられたことを検知し、且つタッチ時間が第三所定時間未満である場合、前記マイクロプロセッサは、第四所定時間内で前記電灯を消すように前記電源位相制御回路を制御し、且つ前記マイクロプロセッサは、前記電灯光度値に基づき、関連の前記発光ダイオード素子を起動し、関連の発光ダイオード素子の光度を調整するように前記指示灯モジュールを制御する、ことを特徴とするライト制御モジュール。
【請求項２】
前記第一タッチセンサだけが触れられたことを検知し、且つタッチ時間が前記第一所定タッチ時間以上である場合、前記マイクロプロセッサは、タッチ時間に基づいて前記電灯の光度を明るくするように前記電源位相制御回路を制御し、且つ調整後の前記電灯の光度を前記レジスタに前記電灯光度値として記憶し、且つ
前記第二タッチセンサだけが触れられたことを検知し、且つタッチ時間が前記第三所定タッチ時間以上である場合、前記マイクロプロセッサは、タッチ時間に基づいて前記電灯の光度を暗くするように前記電源位相制御回路を制御し、且つ調整後の前記電灯の光度を前記電灯光度値として前記レジスタに記憶することを特徴とする請求項１に記載のライト制御モジュール。
【請求項３】
前記第一タッチセンサと前記第二タッチセンサが遅延期間内にいずれも触れられたことを検知しなかった場合、前記マイクロプロセッサは、関連の前記発光ダイオード素子の光度を所定の省エネモードの光度値まで暗くするように前記指示灯モジュールを制御することを特徴とする請求項１に記載のライト制御モジュール。
【請求項４】
前記平板は、前記平板の背面側に設けられた少なくとも一の第二噛み合わせ部材を有し、
前記ライト制御装置は更に、カバーを有し、前記カバーの少なくとも一側辺に第一噛み合わせ部材を有し、
そのうち前記平板は、前記第一噛み合わせ部材と前記第二噛み合わせ部材との間の噛み合わせにより取り外し可能で前記ライト制御装置に取付けられることを特徴とする請求項１に記載のライト制御モジュール。
【請求項５】
前記平板の前記背面側に、収容空間を更に有し、前記カバーが前記収容空間内に設置されることを特徴とする請求項４記載のライト制御モジュール。
【請求項６】
前記タッチセンサモジュールと前記指示灯モジュールと前記電源位相制御回路と前記マイクロプロセッサは、前記回路基板により相互に電気的に接続され、且つ前記第一所定タッチ時間が前記第三所定タッチ時間に等しく、前記第四所定時間が前記第二所定時間以上であることを特徴とする請求項４に記載のライト制御モジュール。
【請求項７】
前記平板がガラス平板又は非導電性平板であることを特徴とする請求項４に記載のライト制御モジュール。
【請求項８】
電灯を制御するライト制御モジュールであって、
少なくとも一つのタッチセンサを含むライト制御装置と
少なくとも一つの、前記タッチセンサに対応する位置に位置するタッチエリアを含む平板と、を含み、
前記平板が取り外し可能に前記ライト制御装置に取り付けられ、
ある物体が前記タッチエリアと接触する又は前記タッチエリアの近傍にある場合、前記タッチセンサは触れられたことを検知して、タッチ信号を出力し、前記ライト制御装置が前記タッチ信号によって前記電灯を制御することを特徴とするライト制御モジュール。
【請求項９】
電灯を制御するライト制御装置であって、
第一タッチセンサと第二タッチセンサを含み、且つ前記第一タッチセンサと前記第二タッチセンサがタッチ状態を検知してタッチ信号を生成するタッチセンサモジュールと
複数の発光ダイオード素子を有する指示灯モジュールと、
前記電灯の光度を制御する電源位相制御回路と、及び
電灯光度値を記憶するレジスタを有し、前記タッチ信号に基づき前記電源位相制御回路を制御し、且つ前記電灯の光度に基づき関連発光ダイオード素子を決定するマイクロプロセッサと、を有し、
そのうち、
前記第一タッチセンサと前記第二タッチセンサがともに触れられたことを検知した場合、前記マイクロプロセッサは、前記レジスタに記憶した前記電灯光度値に基づき前記電灯を起動し、且つ前記電灯の光度を前記電灯光度値まで調整するように前記電源位相制御回路に指示し、前記指示灯モジュールは、前記電灯光度値に基づき関連の前記発光ダイオード素子を起動し、且つ関連の前記発光ダイオード素子の光度を調整し、
前記第一タッチセンサだけが触れられたことを検知し、且つタッチ時間が第一所定タッチ時間未満である場合、前記マイクロプロセッサは、第二所定時間内に前記電灯をつけるように前記電源位相制御回路を制御し、又、前記マイクロプロセッサは、前記電灯光度値に基づき関連の前記発光ダイオード素子を起動し且つ関連の前記発光ダイオード素子の光度を調整するように前記指示灯モジュールを制御し、及び
前記第二タッチセンサだけが触れられたことを検知し、且つタッチ時間が第三所定時間未満である場合、前記マイクロプロセッサは、第四所定時間内で前記電灯を消すように前記電源位相制御回路を制御し、且つ前記マイクロプロセッサは、前記電灯光度値に基づき、関連の前記発光ダイオード素子を起動し、関連の発光ダイオード素子の光度を調整するように前記指示灯モジュールを制御する、ことを特徴とするライト制御モジュール。
【請求項１０】
前記第一タッチセンサだけが触れられたことを検知し、且つタッチ時間が前記第一所定タッチ時間以上である場合、前記マイクロプロセッサは、タッチ時間に基づいて前記電灯の光度を明るくするように前記電源位相制御回路を制御し、且つ調整後の前記電灯の光度を前記レジスタに前記電灯光度値として記憶し、且つ
前記第二タッチセンサだけが触れられたことを検知し、且つタッチ時間が前記第三所定タッチ時間以上である場合、前記マイクロプロセッサは、タッチ時間に基づいて前記電灯の光度を暗くするように前記電源位相制御回路を制御し、且つ調整後の前記電灯の光度を前記電灯光度値として前記レジスタに記憶することを特徴とする請求項９に記載のライト制御装置。
【請求項１１】
前記第一タッチセンサと前記第二タッチセンサが遅延期間内にいずれも触れられたことを検知しなかった場合、前記マイクロプロセッサは、関連の前記発光ダイオード素子の光度を所定の省エネモードの光度値まで暗くするように前記指示灯モジュールを制御することを特徴とする請求項９に記載のライト制御装置。
【請求項１２】
前記第一タッチセンサが触れられたことを検知した場合、前記マイクロプロセッサは、前記電灯に対しトグルスイッチ制御を行うように前記電源位相制御回路に指示し、且つ前記電灯がON状態からOFF状態に変更する場合、遅延期間内の状況では、前記指示灯モジュールを起動し、前記遅延期間を超えた状況では、前記指示灯モジュール内の前記発光ダイオード素子の光度を暗くすることを特徴とする請求項９に記載のライト制御装置。
【発明の詳細な説明】
【技術分野】
【０００１】
本発明はライト制御装置及びライト制御モジュールに関わり、特に、タッチ式ライト制御装置及びライト制御モジュールに関わる。
【背景技術】
【０００２】
図１は、従来の電灯スイッチ装置の立体図である。図１に示すように、電灯スイッチ装置１は、スイッチ本体１１とプッシュプレート１２とカバー１５を含む。カバー１５は、開口を有し、プッシュプレート１２は前記開口内に設置され、スイッチ本体１１と連結されている。従来の電灯スイッチ装置１は、機械式の構造であり、プッシュプレート１２はＯＮ状態またはＯＦＦ状態に切り替えられることにより、スイッチ本体１１を制御する。前記開口の面積はプッシュプレート１２の面積より大きく、プッシュプレート１２とカバー１５との間に隙間を設け、切り替え過程において、プッシュプレート１２が前記開口内に引っかからないようにする。
【０００３】
一般的に、ユーザーがスイッチを押して電灯（図示せず）をつけるために、電灯スイッチ装置１は、壁に設けられている。例えば、ホテルや病院などの公共施設では、いつも異なるユーザーにより、使用されているので、細菌の伝染を防止するために、常に清潔に保つ必要がある。しかし、電灯スイッチ装置１のプッシュプレート１２とカバー１５との間に隙間があるために、クリーニング時にクリーニング液が隙間内に侵入しやすく、そのためにスイッチ本体１１中の回路が破損するので、電灯スイッチ装置１の清掃には気を付けなければならない。
【０００４】
さらに、ホテルなど美観を強調する環境において、電灯スイッチ装置１のデザインは勝手に変更することができず、設計上のフレキシビリティに欠け、デザイナーの設計に溶け込むことができなかった。よって、従来の電灯スイッチ装置１はさらに改善の余地がある。
【発明の概要】
【発明が解決しようとする課題】
【０００５】
本発明の実施例の目的は、タッチ式ライト制御モジュールを提供することである。実施例の目的は、前回の記憶した電灯光度値に戻すタッチ式ライト制御モジュールを提供することである。さらに実施例の目的は、交換が簡便に行える平板のタッチ式ライト制御モジュールを提供することである。
【課題を解決するための手段】
【０００６】
本発明は、電灯を制御するライト制御装置を提供する。ライト制御装置は、タッチセンサモジュールと指示灯モジュールと電源位相制御回路とマイクロプロセッサを有する。
【０００７】
タッチセンサモジュールは、第一タッチセンサ及び第二タッチセンサを有し、第一タッチセンサ及び第二タッチセンサは、タッチ状態を検知して、タッチ信号を生成する。指示灯モジュールは、複数の発光ダイオード素子を有する。電源位相制御回路は電灯の光度を制御する。マイクロプロセッサは、レジスタを有し、レジスタは電灯の光度値を記憶し、且つマイクロプロセッサは、タッチ信号により電源位相制御回路を制御し、且つ、電灯光度により関連の前記発光ダイオード素子を決定する。第一タッチセンサ及び第二タッチセンサは共に触れられたことを検知した場合、マイクロプロセッサはレジスタに記憶した電灯光度値に基づき、電灯をＯＮにして且つ電灯の光度を前記電灯光度値に調整するよう電源位相制御回路に指示する。指示灯モジュールは前記電灯光度値に基づき、関連の前記発光ダイオード素子をＯＮにし、また関連の前記発光ダイオード素子の光度を調整する。第一タッチセンサだけが触れられたことを検知し、且つタッチ時間が第一所定タッチ時間より短い場合、マイクロプロセッサは、電源位相制御回路に第二所定時間内で徐々に電灯をＯＮにするよう制御し、且つマイクロプロセッサは、電灯の光度値に基づき、関連の前記発光ダイオード素子をＯＮにし、且つ関連の前記発光ダイオード素子の光度を調整するように指示灯モジュールを制御する。第二タッチセンサのみが触れられたと検知し、且つタッチ時間が第三所定タッチ時間より短い場合、マイクロプロセッサは、電源位相制御回路に第四所定時間内で徐々に電灯をＯＦＦにし、且つマイクロプロセッサは、電灯の光度値に基づき関連の前記発光ダイオード素子をＯＮにし、且つ関連の前記発光ダイオード素子の光度を調整するように指示灯モジュールを制御する。
【０００８】
本発明において、ライト制御モジュールは電灯を制御する。ライト制御モジュールは、前記ライト制御装置及び平板を有し、且つ平板は前記ライト制御装置上に取り外し可能で取り付けられている。平板は、第一タッチエリアと第二タッチエリアと指示灯エリアを有し、且つ、第一タッチセンサの位置は第一タッチエリアの位置に対応しており、第二タッチセンサの位置は第二タッチエリアの位置に対応している。前記発光ダイオード素子の位置は指示灯エリアの位置に対応している。
【０００９】
本発明において、第一タッチセンサのみが触れられたと検知し且つタッチ時間が前記第一所定タッチ時間以上である場合、マイクロプロセッサは、タッチ時間に基づき電灯の光度を明るくするよう電源位相制御回路を制御し、且つ調整後の電灯の光度を電灯光度値としてレジスタに記憶する。また、第二タッチセンサのみが触れられたことを検知し、且つ第三所定タッチ時間以上である場合、マイクロプロセッサは、タッチ時間に基づいて電灯の光度を暗くするよう電源位相制御回路を制御し、且つ調整後の電灯の光度を電灯の光度値としてレジスタに記憶する。
【００１０】
本発明において、第一タッチセンサ及び第二タッチセンサは、遅延期間内において触れられたことを検知しなかった場合、マイクロプロセッサは、関連の前記発光ダイオード素子の光度を省エネモードの光度値に調整するように指示灯モジュールを制御する。
【００１１】
本発明のその他の目的及びメリットは本発明が開示した技術特徴により更に理解できる。本発明の上記及びその他の目的と特徴とメリットをよりわかりやすくするため、下記において実施例を挙げ、図面を合わせて詳細に説明する。
【図面の簡単な説明】
【００１２】
【図１】従来の電灯のスイッチ装置の立体図である。
【図２Ａ】本発明の実施例のライト制御装置を壁の開口に設置した図である。
【図２Ｂ】本発明の実施例のガラス平板とライト制御装置を組み合わせたときの正面図である。
【図２Ｃ】本発明の実施例のガラス平板とライト制御装置を組み合わせたときの背面図である。
【図３】本発明の実施例のガラス平板の図である。
【図４】本発明の実施例のライト制御装置の機能ブロック図である。
【図５】本発明の実施例のライト制御方法のフローチャートである。
【図６】本発明の実施例のライト制御方法のフローチャートである。
【発明を実施するための形態】
【００１３】
次に、図面に基づき、本発明の実施形態及びその機能を説明する。
図２Ａは、本発明の実施例のライト制御装置を壁の開口に設置した略図である。図２Ｂは、本発明の実施例のガラス平板とライト制御装置を組み立てたときの正面図である。図２Ｃは、本発明の実施例のガラス平板とライト制御装置を組み立てたときの背面図である。
【００１４】
図２Ｃに示すように、本発明の実施例のライト制御モジュール１００は、ライト制御装置２００とガラス平板３００を有す。ライト制御装置２００は、ケース２１０とカバー２２０を有す。ケース２１０はカバー２２０の背面側に設けられ、ライト制御装置２００の一部の電子部材（のちに詳述）をケース２１０内に設けて前記電子部材を保護する。
【００１５】
図２Ａに示すように、ライト制御モジュール１００を壁に取付ける場合、先ず、ライト制御装置２００を壁に設けられた開口１１０内に設置し、複数のねじ１２０によりライト制御装置２００を壁に固定する。
【００１６】
図２Ｂに示すように、その後、ガラス平板３００がライト制御装置２００上に取り外し可能で取り付けられる。本実施例において、カバー２２０の少なくとも一の側辺に第一フックスリップ素子（hook slip element）２１１を設ける。図２Ｃに示すように、ガラス平板３００の背面に第二フックスリップ素子３１１を設ける。第一フックスリップ素子２１１と第二フックスリップ素子３１１との間の噛み合わせを介して、ガラス平板３００をライト制御装置２００上に固定する。ガラス平板３００を交換する際に、ガラス平板３００を引っ張るだけで、第二フックスリップ素子３１１が第一フックスリップ素子２１１から引き離すことができ、それによりガラス平板３００を取り外せ、新しいガラス平板３００を取り付けることができる。この設計により、前記壁に異なる壁紙を貼るとか、設計パターンを変更する場合、簡単に新しいガラス平板３００を交換するだけでよく、ライト制御モジュール１００すべてを交換する必要がない。
【００１７】
再度、図２Ｃを参照すると、ガラス平板３００の背面に収容空間３１３が設けられ、カバー２２０が収容空間３１３内に設置されている。上記の設計によれば、ガラス平板３００はフラットな表面を有しているため、ライト制御モジュール１００を清掃する場合、クリーニング液がライト制御モジュール１００内部の回路や電子素子にまで侵入することがない。
【００１８】
図３は、本発明の実施例のガラス平板の略図である。図３に示すように、ガラス平板３００は、第一タッチエリア３３１と第二タッチエリア３３２と指示灯エリア３３３を有する。本実施例において、第一タッチエリア３３１と第二タッチエリア３３２と指示灯エリア３３３の形状はすべて方形として例示し説明するが、本発明はこれに制限するものではない。ガラス平板３００のパターンはユーザーによって設計することができ、ライト制御モジュール１００が取り付けられる壁のデザイン、色等によって、ガラス平板３００の表面上のデザインを設計するのがより好ましい。
【００１９】
図４は、本発明の実施例のライト制御装置の機能のブロック図である。図４に示すように、ライト制御装置２００はタッチセンサモジュール２３０と、指示灯モジュール２４０と、マイクロプロセッサ２５０と、電源変換回路２６０と、電源位相制御回路（power phase control）２７０とフォトカプラ（photo coupler）２８０を有する。カバー２２０はプリント基板上にプラスチック板が設けられる構造からなることができ、上記電子素子はいずれもカバー２２０上の回路に接続され、且つカバー２２０が相互に接続される。電子素子の一部がカバー２２０の前表面に設けられ、電子素子の一部はカバー220の背面に且つケース２１０内に位置する。実施例において、タッチセンサモジュール２３０はカバー２２０の前表面に設けられる。本発明において通常の知識を有するものは、製品の設計に基づき、前記電子素子が配置できるので、以下ではその配置方法の詳細を省略して説明する。
【００２０】
電源変換回路２６０は、外部の交流電源ＡＣを直流電源ＤＣに変換し、且つマイクロプロセッサ２５０に接続されて、マイクロプロセッサ２５０へ約５Ｖの直流電源ＤＣと位相センサ信号（phase sensing signal）Ｐｓを送る。マイクロプロセッサ２５０はタッチセンサモジュール２３０に接続され、タッチセンサモジュール２３０が検知したタッチ信号に基づき、光度制御信号Ｌｃｓ及び指示制御信号Ｉｃｓを出力する。
【００２１】
本実施例において、マイクロプロセッサ２５０を保護するために、フォトカプラ２８０はマイクロプロセッサ２５０と電源位相制御回路２７０との間に接続されている。マイクロプロセッサ２５０はフォトカプラ２８０を介して光度制御信号Ｌｃｓを電源位相制御（power phase control）回路２７０へ送信する。
【００２２】
外部電灯４００は、ライト制御装置２００の電源位相制御回路２７０を介して、交流電源ＡＣの活線（Live）と中性線（Neutral）に接続される。電源位相制御回路２７０はマイクロプロセッサ２５０からの光度制御信号Ｌｃｓを受信し、且つ光度制御信号Ｌｃｓに基づき電灯４００の光度を制御する。指示灯モジュール２４０は、複数の発光ダイオード素子（ＬＥＤ）を有し、ユーザーに現在の電灯４００の光度値状態を知らせる。指示灯モジュール２４０は、マイクロプロセッサ２５０の指示制御信号Ｉｃｓを受信し、更に指示制御信号Ｉｃｓに基づき、関連の（associated）発光ダイオード素子を起動し、且つ関連の発光ダイオード素子の光度を調整する。
【００２３】
本実施例において、タッチセンサモジュール２３０は、第一タッチセンサ２３１と第二タッチセンサ２３２を有し、且つ前記タッチセンサはそれぞれコンデンサ式タッチセンサであってもよい。また、ここでの例を指示灯モジュール２４０が５つの発光ダイオード素子（第一LED２４１〜第五LED２４５）を有するとして説明する。ライト制御装置２００とガラス平板３００が組み立てられるとき、第一タッチセンサ２３１の位置が第一タッチエリア３３１の位置に対応し、第二タッチセンサ２３２の位置が第二タッチエリア３３２の位置に対応しており、指示灯モジュール２４０の位置が指示灯エリア３３３の位置に対応している。従って、ユーザーが第一タッチエリア３３１と第二タッチエリア３３２に触れた場合、第一タッチセンサ２３１と第二タッチセンサ２３２はそれぞれ触れられたことを検知して、タッチ信号を出力する。ここで留意すべきは、“ＡがＢに触れた” という用語は、“ＡがＢと接触する”、“ＡがＢに隣接した”、“ＡがＢの近傍にある” 又はこれらタッチセンサはタッチ信号を出力することができる場合を含むことである。
【００２４】
図５は、本発明の実施例のライト制御方法のフローチャートである。図５に示すように、マイクロプロセッサ２５０はタッチセンサモジュール２３０が検知したタッチ信号に基づいて、タッチセンサモジュール２３０のタッチ状態を決定する。
【００２５】
第一タッチセンサ２３１と第二タッチセンサ２３２がともに触れられたと検知した場合、電源位相制御回路２７０は、レジスタ２５１に記憶した電灯光度値に基づいて、電灯４００を起動し、また電灯４００の光度を前述の記憶した電灯光度値に調整する。指示灯モジュール２４０は、前述の記憶した電灯光度値に基づいて、関連のＬＥＤを起動し、関連のＬＥＤの光度を調整する。
【００２６】
更に具体的には、マイクロプロセッサ２５０は記憶した電灯光度値に基づいて、記憶した電灯光度値を表示した光度制御信号Ｌｃｓ及び指示制御信号Ｉｃｓを生成して、関連のＬＥＤを決定する。電源位相制御回路２７０は、フォトカプラ２８０を介して前記記憶した電灯光度値を表示した光度制御信号Ｌｃｓを受信して、電灯４００を起動し、且つ電灯４００の光度を前記記憶した電灯光度値に調整する。指示灯モジュール２４０は、前記記憶した電灯光度値を表示した指示制御信号Ｉｃｓに基づき、関連のＬＥＤを起動し、且つ関連のＬＥＤの光度を調整する。実施例において、前記ＬＥＤが光っている個数と電灯４００の光度は正比例する。例えば、電灯４００を消した場合、第一ＬＥＤ２４１が起動し、電灯４００が最大（１００％）の光度の場合、第一ＬＥＤ２４１〜第五ＬＥＤ２４５が起動する。また、電灯４００が６０％の光度の時、第一ＬＥＤ２４１〜第三ＬＥＤ２４３が起動する。第一ＬＥＤ２４１の光度＞第二ＬＥＤ２４２の光度＞第三ＬＥＤ２４３の光度であるように、前記ＬＥＤの光度に階調度の状態を呈させる。また、第一タッチセンサ２３１と第二タッチセンサ２３２がいずれも１０秒内にタッチを検知しなかった場合、前記ＬＥＤの光度を暗くする。
【００２７】
上記のように、マイクロプロセッサ２５０は光度制御信号Ｌｃｓ及び指示制御信号Ｉｃｓを利用して、電源位相制御回路２７０及びタッチセンサモジュール２３０を制御する方法を詳細に説明した。よって、以下では類似するステップの詳細を省略して説明する。
【００２８】
図５を再度参照すると、第一タッチセンサ２３１だけが触れられたことを検知し、且つ触れられた時間が１秒（第一所定タッチ時間）未満である場合、マイクロプロセッサ２５０は電源位相制御回路２７０に２秒（第二所定時間）内に徐々に電灯４００を明るくするように指示をし、且つ、電灯４００の光度値に基づき、関連ＬＥＤを起動して関連ＬＥＤの光度を調整するように指示灯モジュール２４０に要求する。本実施例において、電灯４００を２秒未満に徐々に明るくすることで、ユーザーに電灯４００の光度の変化を感じさせるためである。別の実施例において、第二所定時間は実質的に０秒に設定することもできる。
【００２９】
第一タッチセンサ２３１だけが触れられたことを検知し、且つタッチ時間が１秒（第一所定タッチ時間）以上であった場合、マイクロプロセッサ２５０はタッチ時間に基づいて電源位相制御回路２７０に電灯４００の光度を上げるように指示する。次いで、調整後の電灯光度値をレジスタ２５１に記憶する。最後に、マイクロプロセッサ２５０は電灯４００の光度値に基づいて、関連ＬＥＤを起動し、関連ＬＥＤの光度を調整するよう指示灯モジュール２４０に要求する。
【００３０】
第二タッチセンサ２３２だけが触れられたことを検知し、且つタッチ時間が１秒（第三タッチ時間）未満である場合。マイクロプロセッサ２５０は電源位相制御回路２７０に３秒（第四所定時間）内で徐々に電灯４００を暗くするように指示し、且つ電灯４００の光度値に基づいて関連ＬＥＤを起動し、関連ＬＥＤの光度を調整するように指示灯モジュール２４０に要求する。更に具体的には、この時、電灯４００はＯＦＦの状態であり、その光度値は０であるので、第一ＬＥＤ２４１を起動してユーザーにライト制御モジュール１００の位置を知らせる。本実施例において、３秒内で電灯４００を徐々に暗くするのは、ユーザーに電灯４００の光度の変化を感じさせるためである。
【００３１】
第二タッチセンサ２３２だけが触れられたことを検知し、且つタッチ時間が１秒（第三所定タッチ時間）以上である場合、マイクロプロセッサ２５０は、タッチ時間に基づいて電灯４００の光度を暗くするように電源位相制御回路２７０に指示する。次いで、調整後の電灯光度値をレジスタ２５１に記憶する。最後に、マイクロプロセッサ２５０は電灯４００の光度値に基づいて関連ＬＥＤ を起動し、且つ関連ＬＥＤの光度を調整するように指示灯モジュール２４０に要求する。
【００３２】
第一タッチセンサ２３１と第二タッチセンサ２３２が１０秒間（遅延期間）内にいずれも触れられたことを検知しなかった場合、マイクロプロセッサ２５０は関連ＬＥＤの光度を省エネモードの光度値まで暗くするように指示灯モジュール２４０に要求する。指示灯モジュール２４０は省エネモードに切り替わるので、電気が節約できる。
【００３３】
図６は、本発明の実施例のライト制御方法のフローチャートである。本実施例は調光制御を行わずに、電灯４００のスイッチ制御だけを行ってもよく、この種の実施例において、一つのタッチエリアとタッチセンサで一つの電灯を制御できる。以下で第一タッチエリア３３１と第一タッチセンサ２３１によって電灯４００を制御する例を説明する。
【００３４】
図６に示されるように、第一タッチセンサ２３１は触れられたことを検知した場合、マイクロプロセッサ２５０は電源位相制御回路２７０にトグルスイッチ（toggle switch）制御を行うように指示する。即ち、電灯４００がＯＦＦの状態であるとき、電灯４００を点け、電灯４００がＯＮの状態であるとき、電灯４００を消す。
【００３５】
次いで、電灯４００がＯＮの状態であるか否かを判断する。もし、ＯＮの状態である場合、指示灯モジュール２４０を消す。もし、ＯＦＦの状態である場合、再度、ＯＮからＯＦＦへの変更（on/off transition）であるか否かを判断し、そうであれば、１０秒の遅延期間内の状況の下では、指示灯モジュール２４０を起動させ、また、１０秒以上の遅延期間の状況の下では、指示灯モジュール２４０のＬＥＤの光度を暗くする。
【００３６】
以上から、本発明の実施例のライト制御モジュール１００によれば、壁の模様や色に合わせて、ガラス平板３００を簡単に手軽に交換できる。実施例において、ライト制御モジュール１００を清掃するとき、クリーニング液がカバー２２０上の回路及び電子素子に侵入しないので、ライト制御モジュール１００が破損することが少なくなる。実施例において、ライト制御装置２００は、ユーザーの習慣に基づいて、前回記憶した電灯光度値に戻すことができ、ユーザーが電灯４００を起動させるステップを簡略化させる。又、ユーザーは指がタッチエリアと接触しないとしても、タッチセンサは触れられたことを検知することもできる。ですので、ライト制御モジュール１００が病院に使用された場合、本発明の実施例には伝染病を予防するという有利な点がある。
【００３７】
本発明は上記のように最良の形態を実施例として開示したが、これは本発明を制限するものではなく、本発明の要旨から外れなければ、当業者は、各種の変更を行うことができる。よって、本発明が保護しようとする範囲は、特許請求の範囲で定義したものを基準とする。また、本発明の実施例又は特許請求の範囲は、本発明で開示した目的又は長所又は特徴を全て達成しなくてもよい。更に、要約及び発明の名称は、特許文献検索のために用いられるのであり、本発明の権利の範囲を制限するものではない。
【符号の説明】
【００３８】
1  電灯スイッチ装置
100  ライト制御モジュール
11  スイッチ本体
110 開口
12  プッシュプレート
120  ねじ
15  カバー
200  ライト制御装置
210  ケース
211  第一フックスリップ部材
220  カバー
230  タッチセンサモジュール
231  第一タッチセンサ
232  第二タッチセンサ
240  指示灯モジュール
241  第一LED
242  第二LED
243  第三LED
244  第四LED
245  第五LED
250  マイクロプロセッサ
251  レジスタ
260  電源変換回路
270  電源位相制御回路
280  フォトカプラ
300  ガラス平板
311  第二フックスリップ部材
313  収容空間
331  第一タッチエリア
332  第二タッチエリア
333  指示灯エリア
400  電灯
【図１】
2012174549.tif 000003
【図２Ａ】
2012174549.tif 000004
【図２Ｂ】
2012174549.tif 000005
【図２Ｃ】
2012174549.tif 000006
【図３】
2012174549.tif 000007
【図４】
2012174549.tif 000008
【図５】
2012174549.tif 000009
【図６】
2012174549.tif 000010